(57)【要約】【課題】ユーザのニーズに応じて柔軟な照明灯の制御を行うとともに消費電力の低減を図ることができる照明制御装置および照明制御システムを提供する。【解決手段】照明制御システムは、照明制御装置と、当該照明制御装置にネットワークを介して接続され、当該照明制御装置からの制御信号により制御される複数の照明灯と、を具備する。また、照明制御装置は、ユーザが特定した経路情報をユーザ端末から受信する受信部と、経路情報に応じて、制御対象とする照明灯と、当該照明灯に実行させる照明処理と、を特定したスケジュールを決定する決定部と、制御対象とする照明灯に、スケジュールに応じた制御信号を送信する送信部と、を具備する。【選択図】図１
2014130679.tif 000002
【特許請求の範囲】
【請求項１】
ユーザが特定した経路情報をユーザ端末から受信する受信部と；
前記経路情報に応じて、制御対象とする照明灯と、当該照明灯に実行させる照明処理と、を特定したスケジュールを決定する決定部と；
前記制御対象とする照明灯に、前記スケジュールに応じた制御信号を送信する送信部と；
を具備する照明制御装置。
【請求項２】
前記受信部はさらに、前記経路情報に関連づけて位置情報および時間情報を受信し、
前記決定部は、前記位置情報および前記時間情報にもとづき、前記照明処理を実行する実行時間を、前記スケジュールにおいて特定することを特徴とする請求項１に記載の照明制御装置。
【請求項３】
前記決定部は、前記制御対象とする照明灯の点灯および消灯のタイミング、照度、色調の少なくとも一つを決定することを特徴とする請求項１または２に記載の照明制御装置。
【請求項４】
複数のユーザが特定した経路情報に応じて前記決定部が決定した複数のスケジュールを、当該経路情報により特定される経路と、当該複数のスケジュールにより特定される照明処理の実行時間と、にもとづき一つのスケジュールに統合する統合部をさらに具備することを特徴とする請求項１から３のいずれか１項に記載の照明制御装置。
【請求項５】
前記統合部が複数のスケジュールを一つのスケジュールに統合した場合、当該スケジュールのユーザに適用する割引料金を算出する算出部をさらに具備することを特徴とする請求項４に記載の照明制御装置。
【請求項６】
請求項１から５のいずれか１項に記載の照明制御装置と；
当該照明制御装置にネットワークを介して接続され、当該照明制御装置からの制御信号により制御される複数の照明灯と；
を具備する照明制御システム。
【請求項７】
所定地点において所定の照度を達成する、当該所定地点を照明する複数の照明装置の光量割合を算出する算出部と；
前記複数の照明装置に対して、前記算出部が算出した割合に応じた照明制御を指示する制御信号を送信する第２の送信部と；
をさらに具備することを特徴とする請求項１から５のいずれか１項に記載の照明制御装置。
【請求項８】
前記算出部は、前記複数の照明装置が直接的に前記所定地点を照明する光量と、前記複数の照明装置が間接的に前記所定地点を照明する光量と、にもとづき、前記光量割合を算出することを特徴とする請求項７に記載の照明制御装置。
【請求項９】
前記算出部は、前記複数の照明装置による消費電力の合計が最も小さい光量割合を算出することを特徴とする請求項７または８に記載の照明制御装置。
【請求項１０】
前記算出部は、前記複数の照明装置のうち、蓄電機能を備える照明装置を優先的に使用するよう前記光量割合を算出することを特徴とする請求項７から９のいずれか１項に記載の照明制御装置。
【請求項１１】
前記複数の照明装置の光量の設定を受信する第２の受信部をさらに具備し、
前記算出部は、前記第２の受信部が受信した光量以上となる光量割合を算出することを特徴とする請求項７から１０のいずれか１項に記載の照明制御装置。
【請求項１２】
前記算出部は、前記複数の照明装置の電力消費に対して賦課される料金の合計が最も小さい光量割合を算出することを特徴とする請求項７から１１のいずれか１項に記載の照明制御装置。
【請求項１３】
前記複数の照明装置は照明灯を含み、
前記照明灯が点灯中に、当該照明灯による照度を前記複数の照明装置のいずれかによって達成できるか否かを判定し、達成できると判定した場合は、前記照明灯を消灯し、前記照明灯の点灯に対して賦課される料金よりも低い料金で、当該照明装置を点灯させることを特徴とする請求項７から１２のいずれか１項に記載の照明制御装置。
【請求項１４】
請求項７から１３のいずれか１項に記載の照明制御装置と；
複数の照明灯と；
前記複数の照明装置を管理する管理装置と；
を具備する照明制御システム。
【請求項１５】
前記管理装置は、ＨＥＭＳ（Home  Energy  Management  System）制御装置またはＢＥＭＳ（Building  and  Energy  Management  System）制御装置であることを特徴とする請求項１４に記載の照明制御システム。
【発明の詳細な説明】
【技術分野】
【０００１】
本発明の実施形態は、照明制御装置および照明制御システムに関する。
【背景技術】
【０００２】
近年、複数の照明装置を一元的に管理制御するシステムが提案されている。たとえば、一般家屋内の照明をネットワークによって管理装置と接続し、管理装置から個々の照明の点灯、消灯、調光等の制御を行うことができるシステムが提案されている。また、たとえば、街路灯をネットワークで接続し、当該ネットワークを介して管理者が任意の街路灯の管理装置と通信できるように構成したシステムも提案されている。また、無線通信によって照明の故障等を検出するシステムも提案されている。
【０００３】
しかしながら、ネットワークを介して複数の照明装置を制御装置に接続し、点灯、消灯等の制御を行う従来のシステムでは、ユーザのニーズに応じて街路灯の光量等の制御を行うことは提案されていない。
【０００４】
たとえば、ユーザは深夜に帰宅する場合、通常、街路灯が故障している経路や元々街路灯が設置されていないような暗い経路ではなく、街路灯が明るく灯されている経路を選択すると予想される。したがって、ユーザが帰宅経路として選択する可能性が高い、明るい経路に人通りが集中する一方、ユーザが帰宅経路として選択する可能性が低い、暗い経路は人通りがない状態となる。
【０００５】
そこで、様々な経路をユーザに利用してもらうために、ユーザが利用する可能性のある全ての経路を明るく照らすことも考えられる。しかし、ユーザが通行する可能性のあるすべての街路に同じ設置密度で街路灯を設置し、夜間を通じてすべての街路灯を高い光量で発光させると、実際には通行者がいない場合も街路灯を高い光量で点灯させ続けることになり、エネルギー消費節減の観点から好ましくない。
【先行技術文献】
【特許文献】
【０００６】
【特許文献１】特開２０１２−４０６２号公報
【特許文献２】特開２００３−６８４７５号公報
【特許文献３】特開２００６−１９７９６号公報
【発明の概要】
【発明が解決しようとする課題】
【０００７】
本発明が解決しようとする課題は、ユーザのニーズに応じて柔軟な照明灯の制御を行うとともに消費電力の低減を図ることができる照明制御装置および照明制御システムを提供することである。
【課題を解決するための手段】
【０００８】
実施形態にかかる照明制御装置および照明制御システムは、ユーザが特定した経路情報をユーザ端末から受信する受信部と、前記経路情報に応じて、制御対象とする照明灯と、当該照明灯に実行させる照明処理と、を特定したスケジュールを決定する決定部と、前記制御対象とする照明灯に、前記スケジュールに応じた制御信号を送信する送信部と、を具備する。
【発明の効果】
【０００９】
実施形態の照明制御装置および照明制御システムは、ユーザのニーズに応じて柔軟な照明灯の制御を行うとともに消費電力の低減を図ることができるという効果を奏する。
【図面の簡単な説明】
【００１０】
【図１】図１は、第１の実施形態に係る照明制御システムの一例の概要を示す図である。
【図２】図２は、第１の実施形態に係るユーザ情報記憶部に記憶される情報の一例の概要を示す図である。
【図３】図３は、第１の実施形態に係る街路灯情報記憶部に記憶される情報の一例の概要を示す図である。
【図４】図４は、第１の実施形態に係る制御内容記憶部に記憶される情報の一例の概要を示す図である。
【図５】図５は、第１の実施形態に係る管理装置に情報を送信する際に、ユーザ端末に表示される画面の一例を示す図である。
【図６】図６は、第１の実施形態に係る照明制御システムにおける照明制御処理の流れの一例を示すフローチャートである。
【図７Ａ】図７Ａは、第１の実施形態の変形例に係るユーザ端末の表示画面の一例を示す図である。
【図７Ｂ】図７Ｂは、第１の実施形態の変形例に係るユーザ端末の表示画面の他の例を示す図である。
【図８】図８は、第２の実施形態に係る照明制御システムの構成の一例を示す図である。
【図９】図９は、第２の実施形態に係る制御内容記憶部に記憶される情報の一例の概要を示す図である。
【図１０】図１０は、第２の実施形態に係る課金情報記憶部に記憶される情報の一例の概要を示す図である。
【図１１】図１１は、第２の実施形態に係る照明制御システムにおいて、ユーザ端末に表示される表示画面の一例を示す図である。
【図１２】図１２は、第２の実施形態に係る照明制御システムにおける割引料金算出処理の流れの一例を示すフローチャートである。
【図１３】図１３は、第２の実施形態に係る照明制御システムにおける推奨経路提示処理の流れの一例を示すフローチャートである。
【図１４Ａ】図１４Ａは、漏れ光による街路の照明効果を説明するための図である。
【図１４Ｂ】図１４Ｂは、漏れ光の影響を説明するための例示としてのビルの配置と照度測定ポイントとを示す図である。
【図１４Ｃ】図１４Ｃは、図１４Ｂに示す例示としてのビルのデータを示す表である。
【図１４Ｄ】図１４Ｄは、図１４Ｂに示す照度測定ポイントにおける照度の写真測光による測定結果を示すグラフである。
【図１５】図１５は、第３の実施形態に係る照明制御システムの構成の一例を示す図である。
【図１６】図１６は、第３の実施形態に係る管理対象記憶部に記憶される情報の一例を示す図である。
【図１７】図１７は、第３の実施形態に係る地点記憶部に記憶される情報の一例を示す図である。
【図１８】図１８は、第３の実施形態に係る光量決定処理の流れの一例を示すフローチャートである。
【図１９】図１９は、変形例１に係る照明制御システムの構成の一例を示す図である。
【図２０】図２０は、変形例１に係る要求記憶部に記憶される情報の一例を示す図である。
【図２１】図２１は、変形例２に係る照明制御システムの概略図である。
【図２２】図２２は、変形例２に係る蓄電情報記憶部に記憶される情報の一例を示す図である。
【図２３】図２３は、変形例４に係る照明制御システムの構成の一例を示す図である。
【発明を実施するための形態】
【００１１】
実施形態の照明制御装置は、ユーザが特定した経路情報をユーザ端末から受信する受信部と、前記経路情報に応じて、制御対象とする照明灯と、当該照明灯に実行させる照明処理と、を特定したスケジュールを決定する決定部と、前記制御対象とする照明灯に、前記スケジュールに応じた制御信号を送信する送信部と、を具備する。
【００１２】
また、実施形態の照明制御装置が具備する受信部はさらに、経路情報に関連づけて位置情報および時間情報を受信し、決定部は、位置情報および時間情報にもとづき、照明処理を実行する実行時間を、スケジュールにおいて特定してもよい。
【００１３】
また、実施形態の照明制御装置が具備する決定部は、制御対象とする照明灯の点灯および消灯のタイミング、照度、色調の少なくとも一つを決定してもよい。
【００１４】
また、実施形態の照明制御装置は、複数のユーザが特定した経路情報に応じて決定部が決定した複数のスケジュールを、当該経路情報により特定される経路と、当該複数のスケジュールにより特定される照明処理の実行時間と、にもとづき一つのスケジュールに統合する統合部をさらに具備してもよい。
【００１５】
また、実施形態の照明制御装置は、統合部が複数のスケジュールを一つのスケジュールに統合した場合、当該スケジュールのユーザに適用する割引料金を算出する算出部をさらに具備してもよい。
【００１６】
また、実施形態の照明制御システムは、実施形態の照明制御装置と、当該照明制御装置にネットワークを介して接続され、当該照明制御装置からの制御信号により制御される複数の照明灯と、を具備する。
【００１７】
実施形態の照明制御装置は、所定地点において所定の照度を達成する、当該所定地点を照明する複数の照明装置の光量割合を算出する算出部と、複数の照明装置に対して、算出部が算出した割合に応じた照明制御を指示する制御信号を送信する第２の送信部と、をさらに具備してもよい。
【００１８】
実施形態の照明制御装置が具備する算出部は、複数の照明装置が直接的に所定地点を照明する光量と、複数の照明装置が間接的に所定地点を照明する光量と、にもとづき、光量割合を算出してもよい。
【００１９】
実施形態の照明制御装置が具備する算出部は、複数の照明装置による消費電力の合計が最も小さい光量割合を算出してもよい。
【００２０】
実施形態の照明制御装置が具備する算出部は、複数の照明装置のうち、蓄電機能を備える照明装置を優先的に使用するよう光量割合を算出してもよい。
【００２１】
実施形態の照明制御装置は、複数の照明装置の光量の設定を受信する第２の受信部をさらに具備し、算出部は、第２の受信部が受信した光量以上となる光量割合を算出してもよい。
【００２２】
実施形態の照明制御装置が具備する算出部は、複数の照明装置の電力消費に対して賦課される料金の合計が最も小さい光量割合を算出してもよい。
【００２３】
実施形態の照明制御装置において、複数の照明装置は照明灯を含み、照明灯が点灯中に、照明灯による照度を複数の照明装置のいずれかによって達成できるか否かを判定し、達成できると判定した場合は、照明灯を消灯し、照明灯の点灯に対して賦課される料金よりも低い料金で、当該照明装置を点灯させてもよい。
【００２４】
実施形態の照明制御システムは、実施形態の照明制御装置と、複数の照明灯と、複数の照明装置を管理する管理装置と、を具備する。
【００２５】
実施形態の照明制御システムが具備する管理装置は、ＨＥＭＳ（Home  Energy  Management  System）制御装置またはＢＥＭＳ（Building  and  Energy  Management  System）制御装置であってもよい。
【００２６】
以下に、本発明にかかる照明制御装置及び照明制御システムの実施形態を図面に基づいて詳細に説明する。実施形態において同一の機能を有する構成には同一の符号を付し、重複する説明を省略する。
【００２７】
(第１の実施形態)
図１は、第１の実施形態に係る照明制御システムの一例の概要を示す図である。図１を参照し、第１の実施形態に係る照明制御システムの一例につき説明する。実施形態においては、照明灯の一例として街路灯を用いて説明する。照明灯の形態等は特に限定されず、所定の区域を照明する装置であればよい。
【００２８】
［照明制御システム１の構成の一例］
図１に示す第１の実施形態に係る照明制御システム１は、管理装置１０と、複数の街路灯２０Ａ〜２０Ｅと、ユーザ端末３０と、を備える。管理装置１０は、街路灯２０Ａ〜２０Ｅを制御する、照明制御装置として動作する。管理装置１０は、ネットワーク４０を介して街路灯２０Ａ〜２０Ｅと接続され、街路灯２０Ａ〜２０Ｅとの間で情報を送受信する。管理装置１０は、街路灯２０Ａ〜２０Ｅとネットワーク４０を介して通信を行うことにより、複数の街路灯２０Ａ〜２０Ｅの点灯、消灯、点滅、調光等の動作を制御する。
【００２９】
また、管理装置１０は、ネットワーク４０を介してユーザ端末３０と接続され、ユーザ端末３０との間で情報を送受信する。たとえば、管理装置１０は、ユーザによりユーザ端末３０に入力される情報を受信し、当該情報に応じて街路灯２０Ａ〜２０Ｅに制御信号を送信し、街路灯２０Ａ〜２０Ｅの動作を制御する。
【００３０】
管理装置１０はたとえば、所定の地域内に配置される複数の街路灯の動作を制御することにより当該街路灯による電力消費を一元的に管理し調整する管理サーバなどである。また、管理装置１０は、地域または都市内の電力消費を一元的に管理するスマートシティに設けられる管理サーバなどであってもよい。また、管理装置１０は、街路灯のみならず、公共空間に設けられ電力の供給を受けて動作する任意の装置も併せて管理する装置であってもよい。
【００３１】
街路灯２０Ａ〜２０Ｅは、公共空間たとえば、歩行者が通行する一般の街路に沿って任意の間隔で設けられ、街路を照明する照明装置である。図１には、５つの街路灯２０Ａ〜２０Ｅを示すが、街路灯の数は５つに限定されず、街路に沿って任意の数の街路灯が設けられる。
【００３２】
本実施形態では、街路灯２０Ａ〜２０Ｅは、直接ネットワーク４０を介して管理装置１０からの制御信号を受信して、制御信号に応じて動作するものとして説明する。しかし、これに限定されず、街路灯２０Ａ〜２０Ｅ各々に、制御部と記憶部とを備える制御ユニット等を設置してもよい。この場合には、管理装置１０から送信される情報を、制御ユニットが受信して記憶部に格納し、適宜制御部が、記憶部から情報を読み出して街路灯の動作を制御するものとしてもよい。
【００３３】
また、街路灯２０Ａ〜２０Ｅの形状や種類は特に限定されず、蛍光灯、水銀灯、ＬＥＤ照明、太陽電池式の電灯等、任意のものを使用してよい。ただし、街路灯２０Ａ〜２０Ｅは、なんらかのエネルギーの供給を受けて発光し、消費したエネルギー（電力等）に対して料金が課されるものとする。
【００３４】
ユーザ端末３０はたとえば、スマートフォン、携帯電話、ＰＨＳ（Personal  Handyphone  System）、ＰＤＡ（Personal  Digital  Assistant）、タブレットＰＣ（Portable  Computer）等、ネットワーク４０に接続して、管理装置１０との間で情報を送受信できるものであれば、任意の装置であってよい。また、携帯端末に限定されず、家庭またはオフィスに設置されたコンピュータをユーザ端末３０として使用してもよい。本実施形態では、ユーザ端末３０の一例として携帯電話を用いて説明する。
【００３５】
ネットワーク４０は、たとえば、インターネット、ＬＡＮ（Local  Area  Network）、ＷＡＮ（Wide  Area  Network）等、任意のネットワークであってよい。またたとえば、電力線搬送通信（ＰＬＣ：Power  Line  Communication）を利用してもよい。図１では、管理装置１０、街路灯２０Ａ〜２０Ｅ、ユーザ端末３０が、ネットワーク４０を介して接続されるものとして図示したが、管理装置１０とユーザ端末３０とを接続するネットワークと、管理装置１０と街路灯２０Ａ〜２０Ｅとを接続するネットワークとを別個に設けてもよい。たとえば、管理装置１０と街路灯２０Ａ〜２０Ｅとで閉じたネットワークを形成し、管理装置１０とユーザ端末３０とは公共のネットワークを介して通信するものとしてもよい。
【００３６】
［管理装置１０の構成の一例］
図１を参照し、管理装置１０の構成についてさらに説明する。管理装置１０は、通信部１１０と、制御部１２０と、記憶部１３０と、を備える。通信部１１０は、ネットワーク４０を介した街路灯２０Ａ〜２０Ｅおよびユーザ端末３０との通信処理を行う。制御部１２０は、通信部１１０が受信した情報を用いて、管理装置１０における処理を制御し、通信部１１０から外部へ送信する情報等を生成する。記憶部１３０は、管理装置１０における処理に用いる情報や管理装置１０において生成される情報等を記憶する。
【００３７】
制御部１２０は、情報受信部１２１、制御決定部１２２および指示送信部１２３を備える。
【００３８】
情報受信部１２１は、ユーザ端末３０から送信されるユーザ識別情報、経路情報、位置情報、時間情報等を受信する。情報受信部１２１は、受信した情報を制御決定部１２２に送信する。
【００３９】
たとえば、情報受信部１２１は、ユーザ端末３０を利用するユーザを識別するためのユーザ識別情報を、ユーザ端末３０から受信する。ユーザ識別情報はたとえば、管理装置１０へのアクセスを許可された登録ユーザに付与され、当該ユーザを一意に識別するユーザＩＤ（Identifier）などである。
【００４０】
情報受信部１２１はまた、ユーザがユーザ端末３０に入力した帰宅経路を示す経路情報を受信する。さらに、ユーザの現在位置を示す位置情報や、ユーザが指定した時刻を示す時間情報等を受信する。
【００４１】
制御決定部１２２は、情報受信部１２１から情報を受信し、受信した情報に応じて、街路灯２０Ａ〜２０Ｅに対する制御内容を決定する。たとえば、ユーザ端末３０から帰宅経路を示す経路情報と、現在位置を示す位置情報と、これから帰宅する旨を示す情報を受信した場合には、制御決定部１２２は、経路情報に基づき、ユーザの帰宅経路上にある街路灯を特定する。次に、制御決定部１２２は、位置情報と経路情報とにもとづき、ユーザが当該経路を通行する時刻を算出する。
【００４２】
さらに、制御決定部１２２は、特定した街路灯に実行させる制御内容を決定する。たとえば、制御決定部１２２は、特定した街路灯の点灯および消灯のタイミングや、照度、色調等を決定する。制御内容は、予め管理装置１０側にユーザ識別情報に対応付けて記憶しておいてもよく、ユーザが指定してもよい。また、管理装置１０は、時間帯と制御内容とを対応づけて予め設定し記憶しておいてもよい。
【００４３】
たとえば、ユーザが、これから帰宅する旨を示す情報と経路情報とを、１８時以降に送信した場合は、特定した街路灯の照度を所定レベルまで上げる制御を行うよう、予め設定しておいてもよい。また、ユーザが、制御内容を指定して、経路情報とともに管理装置１０に送信してもよい。たとえば、「１９時から１９時３０分まで」の間、経路情報により指定した経路上の街路灯の照度を「３０ルクス」まで上げるよう指定してもよい。
【００４４】
制御決定部１２２は、予め設定された情報または指定された情報にもとづき、制御内容を決定する。
【００４５】
指示送信部１２３は、制御決定部１２２が決定した制御内容にもとづき制御信号を生成して、制御決定部１２２が特定した街路灯に制御信号を送信する。
【００４６】
［記憶部１３０に記憶される情報の一例］
記憶部１３０は、地図記憶部１３１と、ユーザ情報記憶部１３２と、街路灯情報記憶部１３３と、制御内容記憶部１３４と、を備える。
【００４７】
地図記憶部１３１は、地図情報を記憶する。地図記憶部１３１は少なくとも、街路灯２０Ａ〜２０Ｅが配置される地域の地図を記憶する。また、地図記憶部１３１は少なくとも、登録されたユーザが街路灯２０Ａ〜２０Ｅが配置される地域を通過する際に、通ると予想される区域の地図を記憶する。
【００４８】
ユーザ情報記憶部１３２は、予め登録され、管理装置１０による照明制御プログラムを利用することができるユーザの情報を記憶する。
【００４９】
図２は、第１の実施形態に係るユーザ情報記憶部１３２に記憶される情報の一例の概要を示す図である。図２に示すように、ユーザ情報記憶部１３２はたとえば、ユーザＩＤと、ユーザ名と、パスワードと、を対応づけて記憶する。ユーザＩＤは、各ユーザを一意に識別するための識別子であり、ユーザ登録時に各ユーザに付与される。ユーザ名はユーザの名称である。パスワードは、管理装置１０にアクセスして照明制御プログラムを利用する際に入力する情報である。パスワードは、ユーザが登録時に任意に設定し管理装置１０に記憶させるものとすればよい。
【００５０】
たとえば、図２の例では、ユーザＩＤ「００１」に対応付けて、ユーザ名「田中太郎」、パスワード「ｔｂａ０２８」が記憶されている。また、ユーザＩＤ「００２」に対応付けて、ユーザ名「山田花子」、パスワード「ｔｂａ０５５」が記憶されている。このほか、ユーザが利用するユーザ端末を識別するための情報等もユーザ情報としてユーザ情報記憶部１３２に記憶するものとしてもよい。また、ユーザ情報記憶部１３２に記憶される情報は、登録したユーザが任意に更新できるものとしてもよい。
【００５１】
図３は、第１の実施形態に係る街路灯情報記憶部１３３に記憶される情報の一例の概要を示す図である。図３に示すように、街路灯情報記憶部１３３は、管理装置１０が管理する街路灯各々を一意に識別するための街路灯ＩＤと、当該街路灯が配置された場所を示す位置情報と、当該街路灯が配置された街路を通る経路を示す経路情報と、を記憶する。
【００５２】
たとえば、図３の例では、街路灯ＩＤ「０００１」に対応付けて、位置情報「３５．３２０１，１３９．３６１１」、経路情報「Ｒ０１，Ｒ２０」が記憶されている。この場合、街路灯ＩＤ「０００１」で識別される街路灯は、「北緯３５度３２分１秒、東経１３９度３６分１１秒」の地点に配置されており、当該街路灯のある街路は、識別子「Ｒ０１」で識別される経路と、識別子「Ｒ２０」で識別される経路の上にあることを意味する。
【００５３】
経路情報として記憶される経路の識別子については、それまでにユーザが指定した経路に対して管理装置１０が識別子を付与して記憶しておいてもよく、また、予め管理装置１０の管理者が、ユーザによる利用が予想される経路を抽出し、各々に識別子を付与して記憶しておいてもよい。
【００５４】
図４は、第１の実施形態に係る制御内容記憶部１３４に記憶される情報の一例の概要を示す図である。制御内容記憶部１３４は、ユーザ端末３０から送信される経路情報に基づき制御決定部１２２が決定した制御内容（以下、「スケジュール」とも呼ぶ。）を記憶する。たとえば、図４に示すように、制御内容記憶部１３４は、ユーザが指定した経路情報に対応して付与されたスケジュールＩＤと、当該ユーザを一意に特定するユーザＩＤとを対応付けて記憶する。さらに、制御内容記憶部１３４は、経路を一意に識別する経路ＩＤと、当該経路上にあると特定された街路灯の街路灯ＩＤとを対応づけて記憶する。さらに、各街路灯についての制御内容を記憶する。
【００５５】
たとえば、図４の例では、スケジュールＩＤ「００１」に対応づけて、ユーザＩＤ「００２」、経路ＩＤ「Ｒ２０」、街路灯ＩＤ「０００１，０００３」、制御内容「照度ＵＰ３０，１９：００−１９：３０；照度ＵＰ３０，１９：１０−１９：４０」が記憶されている。これは、ユーザＩＤ「００２」のユーザが、経路ＩＤ「Ｒ２０」の経路で帰宅する旨の情報をユーザ端末３０から送信し、それに対応して街路灯ＩＤ「０００１」の街路灯と街路灯ＩＤ「０００３」の街路灯を制御することが決定されたことを示す。また、街路灯ＩＤ「０００１」の街路灯については、１９時から１９時３０分までの間、照度を３０ルクスまで上昇させる制御を行うことを示す。また、街路灯ＩＤ「０００３」の街路灯については、１９時１０分から１９時４０分までの間、照度を３０ルクスまで上昇させる制御を行うことを示す。
【００５６】
なお、制御内容記憶部１３４に記憶する情報は、該当するスケジュールの実行が終了するごとに削除する。
【００５７】
管理装置１０は、照明制御プログラムを利用するユーザがユーザ登録を行うと、図２に示すユーザ情報記憶部１３２に、当該ユーザの情報を記憶する。また、管理装置１０は、管理対象となる街路灯が新たに設置されたり、撤去されたりすると、図３に示す街路灯情報記憶部１３３に記憶された情報を更新する。また、管理装置１０は、照明制御プログラムを利用するユーザが、プログラムを利用するために経路情報等を送信すると、送信された情報に応じて制御内容を決定して、図４に示す制御内容記憶部１３４に記憶する。
【００５８】
［ユーザ端末の表示画面の一例］
ユーザは、照明制御プログラムを利用する際には、ユーザ端末３０からネットワークにアクセスし、照明制御プログラムを利用するための画面を表示させる。たとえば、ユーザは所定のＵＲＬにアクセスし、ユーザＩＤおよびパスワードを入力することで、照明制御プログラムにアクセスする。また、たとえば、照明制御プログラムは、ＨＥＭＳ（Home  Energy  Management  System）を宅外から利用する際にユーザがアクセスするＨＥＭＳ管理用のポータルにリンクされていてもよい。
【００５９】
図５は、第１の実施形態に係る管理装置１０に情報を送信する際に、ユーザ端末３０に表示される画面の一例を示す図である。図５に示すように、ユーザ端末３０には、照明制御プログラムの名称「おかえりナビ」を表示するフィールド３０１と、「乗車駅」、「降車駅」および「帰宅ルート」を選択するためのフィールド３０２，３０３，３０４が表示される。ユーザは、これから帰宅するというときに、ユーザ端末３０に「おかえりナビ」の画面を表示させ、「乗車駅」、「降車駅」および「帰宅ルート」を入力する。これらの入力は、画面に表示される地図上にカーソルを合わせて、画面下部の決定ボタン３０５を選択することによって実行できる。「帰宅ルート」の画面上に表示される地図は、ユーザの現在位置を中心点として表示され、スクロールして他の位置を表示できるように構成すればよい。全ての入力が完了すると、ユーザは、送信ボタン３０６を選択して情報を管理装置１０に送信する。
【００６０】
「おかえりナビ」の画面に入力した情報をユーザが送信すると、ユーザ端末３０に内蔵されたＧＰＳ機能等により、その時点でユーザ端末３０が存在する場所を示す位置情報が同時に管理装置１０に送信される。
【００６１】
管理装置１０は、受信した「乗車駅」、「降車駅」および位置情報から、ユーザが降車駅に到着して選択した帰宅ルートを歩き始める時間と、帰宅ルートを歩き終わる時間と、を算出する。そして、算出した時間に合わせて、帰宅ルート上の街路灯を制御するための制御信号を送信する。なお、街路灯２０Ａ〜２０Ｅに制御部および記憶部を設ける場合は、管理装置１０から直ちに制御信号を街路灯２０Ａ〜２０Ｅに送信しておいてもよい。そして、街路灯２０Ａ〜２０Ｅの制御部が、制御信号によって指定された時間に制御を実行する。
【００６２】
［照明制御処理の流れの一例］
図６は、第１の実施形態に係る照明制御システム１における照明制御処理の流れの一例を示すフローチャートである。図６を参照して、照明制御システム１における照明制御処理の流れの一例を説明する。
【００６３】
まず、管理装置１０の情報受信部１２１は、ユーザ端末３０から、経路情報（乗車駅、降車駅、帰宅ルート等）、位置情報等を受信する（ステップＳ６０１）。次に、制御決定部１２２は、受信した情報に基づき、制御対象となる、経路上の街路灯を特定する（ステップＳ６０２）。そして、制御決定部１２２は、受信した情報に基づき、各街路灯において制御を実行する時間と制御の内容を決定して、制御対象、制御時間および制御内容を特定したスケジュールを生成する（ステップＳ６０３）。スケジュールが決定すると、制御決定部１２２は、決定したスケジュールを制御内容記憶部１３４に記憶させる（ステップＳ６０４）。そして、指示送信部１２３は、決定したスケジュールに基づく制御信号を生成して各街路灯に送信し、街路灯の照度等を制御する（ステップＳ６０５）。制御内容記憶部１３４は、スケジュールによって特定される全ての街路灯から処理完了の応答を受信した場合またはスケジュールによって特定された制御時間が経過した場合に、当該スケジュールを制御内容記憶部１３４から削除する（ステップＳ６０６）。
【００６４】
［第１の実施形態の効果］
このように、第１の実施形態に係る照明制御装置および照明制御システムは、ユーザが特定した経路情報をユーザ端末から受信する受信部と、経路情報に応じて、制御対象とする照明灯と、当該照明灯に実行させる照明処理と、を特定したスケジュールを決定する決定部と、制御対象とする照明灯に、スケジュールに応じた制御信号を送信する送信部と、を具備する。このため、ユーザが特定した経路情報にもとづいて経路上の照明灯を制御することができる。したがって、ユーザが希望する経路の照明灯のみを点灯したり、当該照明灯の光量のみを上昇させたりすることができ、ユーザは希望する経路を通行することができる。また、ユーザが希望するときだけ照明灯を点灯したり光量を上昇させたりするため、消費電力の低減を図ることができる。
【００６５】
また、第１の実施形態に係る照明制御装置および照明制御システムにおいては、受信部はさらに、経路情報に関連づけて位置情報および時間情報を受信し、決定部は、位置情報および時間情報にもとづき、照明処理を実行する実行時間を、スケジュールにおいて特定する。このため、ユーザの現在位置や現在の時間、照明制御をする時間などにもとづいて、照明灯の照明制御を実行する時間を特定することができる。したがって、適切なタイミングで照明灯の照明制御を実行することができ、ユーザのニーズに柔軟に対応しつつ、消費電力の低減を図ることができる。
【００６６】
また、第１の実施形態に係る照明制御装置および照明制御システムにおいては、決定部は、制御対象とする照明灯の点灯および消灯のタイミング、照度、色調の少なくとも一つを決定する。このため、照明灯を単に点灯するだけでなく、色調を変えたり、照度を上げたり、照度と色調を組み合わせたりして、多様な照明制御を実行することができる。したがって、ユーザのニーズに柔軟に対応して、様々な要望に適合した照明態様を実現することができる。
【００６７】
［第１の実施形態の変形例］
なお、上の説明では、ユーザ端末３０の表示画面には、乗車駅、降車駅および帰宅ルートの情報のみを入力するものとした。しかし、これに限定されず、ユーザ端末３０から、照明制御を行う時間を指定したり、照明制御の内容を指定したりできるように構成してもよい。
【００６８】
図７Ａおよび図７Ｂは、第１の実施形態の変形例に係るユーザ端末の表示画面の一例を示す図である。図７Ａに示す表示画面は、図５の表示画面とほぼ同様であるが、画面下部にさらに「スペシャルメニュー」のボタン３０７が設けられている。ユーザは、これから帰宅するというとき以外の状況において、照明制御を頼みたい場合にこのボタン３０７を選択する。
【００６９】
ユーザがボタン３０７を選択すると、図７Ｂのスペシャルメニュー用画面が表示される。図７Ｂに示すように、スペシャルメニュー用画面には、「おかえりナビスペシャル」のタイトルを示すフィールド３０１Ａのほか、「日時指定」のフィールド３０８、「内容指定」のフィールド３０９、「目的」のフィールド３１０、「コメント」のフィールド３１１が表示される。ユーザは、フィールド３０８に照明制御して欲しい日時を入力する。また、ユーザは、フィールド３０９にどのような制御をして欲しいかを入力する。たとえば、ユーザは、照度レベルや、照明の色調、点滅有無、点滅間隔、制御対象とする街路灯の数などを指定する。また、ユーザは、フィールド３１０に照明制御の目的を入力する。たとえば、ユーザは、「誕生日」「クリスマス」「記念日」等を入力する。さらに、ユーザはフィールド３１１に自由なコメントを入力することができる。入力が終わると、ユーザは、送信ボタン３０６を選択する。これによって、入力された情報が管理装置１０に送信される。
【００７０】
管理装置１０は、図７Ｂの表示画面に入力された情報を受信すると、指定された日時、内容で照明制御を実行する。また、管理装置１０は、ユーザの入力内容が受付可能か否かを、制御内容記憶部１３４に記憶済みのスケジュールを参照して判定した後に、ユーザ端末に対して、受付完了応答または受付不可応答を返すように構成してもよい。このほか、管理装置１０は、予めスペシャルメニューとして選択可能なメニューを設定して、図７Ｂのフィールド３０８〜３１１に代えて選択可能なメニュー一覧を表示してもよい。その場合は、表示されたメニュー一覧の中からユーザが一つのメニューを選択する。
【００７１】
［変形例の効果］
このように、第１の実施形態の変形例に係る照明制御装置および照明制御システムにおいては、受信部はさらに、経路情報に関連づけて位置情報および時間情報を受信し、決定部は、位置情報および時間情報にもとづき、照明処理を実行する実行時間を、スケジュールにおいて特定する。このため、ユーザの現在位置や現在の時間、照明制御をする時間などにもとづいて、照明灯の照明制御を実行する時間を特定することができる。したがって、適切なタイミングで照明灯の照明制御を実行することができ、ユーザのニーズに柔軟に対応しつつ、消費電力の低減を図ることができる。
【００７２】
また、第１の実施形態の変形例に係る照明制御装置および照明制御システムにおいては、決定部は、制御対象とする照明灯の点灯および消灯のタイミング、照度、色調の少なくとも一つを決定する。このため、照明灯を単に点灯するだけでなく、色調を変えたり、照度を上げたり、照度と色調を組み合わせたりして、多様な照明制御を実行することができる。したがって、ユーザのニーズに柔軟に対応して、様々な要望、状況に適合した照明態様を実現することができる。そして、ユーザがこれから帰宅するという場合だけでなく、他の用途に応じて柔軟な照明灯の制御を行うことができる。
【００７３】
［第２の実施形態］
上述の第１の実施形態では、一人のユーザが帰宅ルートを選択して情報を送信した場合の照明制御処理について説明した。次に、第２の実施形態として、管理装置が複数のユーザから経路情報を受信し、そのうち多くのユーザが同一の帰宅経路を選択しているときに、当該経路を推奨ルートとして、ユーザに提示する例を説明する。
【００７４】
複数のユーザが同じ時間帯に帰宅する場合であって、同じ地域の異なる経路を帰宅ルートとして選択している場合には、帰宅ルートを統合して、照度を上げる街路灯を制限した方が、消費電力低減の観点からは好ましい。しかし、単に、統合した帰宅ルートをユーザに提示するだけでは、統合した帰宅ルートを選択することのインセンティブがない。そこで、第２の実施形態では、照明制御プログラムを有料にするとともに、複数ユーザの帰宅ルートが重なり合う場合には、同じ帰宅ルートを選択したユーザの数に応じて、割引料金を提示して、ユーザに統合ルートの選択を促すものとする。
【００７５】
［第２の実施形態に係る照明制御システムの構成の一例］
図８は、第２の実施形態に係る照明制御システム２の構成の一例を示す図である。以下、図８を参照して、第２の実施形態に係る照明制御システム２の構成につき説明する。なお、第２の実施形態に係る照明制御システム２の構成のうち、第１の実施形態と同様の構成および機能については詳細な説明を省略し、図中、同様の参照符号を付す。
【００７６】
図８に示すように、第２の実施形態に係る照明制御システム２は、管理装置１０Ａと、街路灯２０Ａ〜２０Ｅと、ユーザ端末３０Ａ，３０Ｂ，３０Ｃ（以下、区別する必要がない場合はそれぞれまたは集合的に「ユーザ端末３０」と呼ぶ。）と、を備える。管理装置１０Ａと、街路灯２０Ａ〜２０Ｅおよびユーザ端末３０Ａ，３０Ｂ，３０Ｃとは、ネットワーク４０Ａを介して通信可能に接続される。街路灯２０Ａ〜２０Ｅ、ユーザ端末３０Ａ，３０Ｂ，３０Ｃおよびネットワーク４０Ａは、第１の実施形態の街路灯２０Ａ〜２０Ｅ、ユーザ端末３０、ネットワーク４０と同様である。なお、図８に示す街路灯およびユーザ端末の数は例示に過ぎず、任意の数の街路灯およびユーザ端末を、ネットワークを介して管理装置１０Ａに接続することができる。
【００７７】
管理装置１０Ａは、複数のユーザ端末３０Ａ，３０Ｂ，３０Ｃから経路情報等を受信し、受信した経路情報等に基づき、街路灯の制御内容を決定する。この際、管理装置１０Ａは、複数のユーザからユーザ端末を介して受信した情報により特定される経路および時間帯が重複する場合には、当該複数のユーザに対する複数のスケジュールを一つのスケジュールに統合する。たとえば、管理装置１０Ａは、複数のユーザから受信した情報により特定される制御時間帯が重複する場合、さらに、経路が重複するか否かを判定する。そして、経路が重複する場合には、当該複数のユーザに対するスケジュールを一つに統合する。また、管理装置１０Ａは、ユーザから新たに受信した経路情報により特定される時間帯が、他のスケジュールの時間帯と重複するか否かを判定する。そして、重複する場合は、管理装置１０Ａはさらに、二つの経路が近接するか否かを判定し、近接する場合はユーザに割引料金を提示して統合を促す。ユーザが統合に同意する応答をした場合は、管理装置１０Ａは、二つのスケジュールを一つのスケジュールに統合する。
【００７８】
［管理装置１０Ａの構成の一例］
第２の実施形態に係る管理装置１０Ａは、通信部１１０Ａ、制御部１２０Ａおよび記憶部１３０Ａを備える。通信部１１０Ａの動作および機能は第１の実施形態と同様である。
【００７９】
制御部１２０Ａは、情報受信部１２１、制御決定部１２２、指示送信部１２３に加えて、割引料金算出部１２４、推奨情報提示部１２５および選択受信部１２６、を備える。情報受信部１２１、制御決定部１２２および指示送信部１２３の動作および機能は、第１の実施形態と同様である。割引料金算出部１２４、推奨情報提示部１２５および選択受信部１２６は全体として、複数のスケジュールを統合して一つにする統合部として動作し機能する。
【００８０】
制御決定部１２２が制御内容を決定すると、決定された内容（スケジュール）は、制御内容記憶部１３４Ａに記憶される。割引料金算出部１２４は、所定時間ごとまたは新しいスケジュールの登録があるごとに、または、ユーザからの指示に応じて、制御内容記憶部１３４Ａに記憶されたスケジュールの中から、制御時間帯が重複するスケジュールを検出する。そして、割引料金算出部１２４は、制御時間帯が重複するスケジュールを検出すると、当該スケジュールの経路が重複するか否かを判定する。経路が重複する場合、割引料金算出部１２４は、経路の重複度合いおよび制御時間帯の重複度合いに応じて、照明制御プログラムを利用するユーザに対して課金される料金を減額し、減額後の割引料金を算出する。算出した割引料金の額は、制御内容記憶部１３４Ａに記憶する。なお、割引料金自体ではなく割引率を記憶することとしてもよい。
【００８１】
推奨情報提示部１２５は、新しいスケジュールの登録があると、当該スケジュールと制御時間帯が同じスケジュールの中から、割引料金が登録されているスケジュールを検出する。そして、推奨情報提示部１２５は、新しいスケジュールの経路と、検出したスケジュールの経路とが所定の距離範囲内にあるか否かを判定する。そして、推奨情報提示部１２５は、新しいスケジュールの経路と検出したスケジュールの経路とが所定の距離範囲内にあると判定した場合、新しいスケジュールに対応づけて記憶されているユーザのユーザ端末３０に対して、新しいスケジュールの経路と、検出したスケジュールの経路と、当該スケジュールに適用される割引料金とを、推奨経路情報として送信する。
【００８２】
選択受信部１２６は、推奨情報提示部１２５が送信した推奨経路情報に対して、ユーザ端末３０から推奨経路を選択する旨の応答があった場合に、これを受信する。選択受信部１２６は、当該ユーザ端末３０のユーザに対して登録されているスケジュールを、推奨経路のスケジュールに統合する。すなわち、推奨経路のスケジュールＩＤに対応づけて、当該ユーザのユーザＩＤを登録し、もともと当該ユーザに対して登録されていたスケジュールを消去する。
【００８３】
［管理装置１０Ａの記憶部１３０Ａに記憶される情報の一例］
記憶部１３０Ａは、地図記憶部１３１、ユーザ情報記憶部１３２、街路灯情報記憶部１３３を備える点は、第１の実施形態の記憶部１３０と同様である。記憶部１３０Ａは制御内容記憶部１３４に代えて制御内容記憶部１３４Ａを備え、制御内容記憶部１３４Ａに、割引料金の情報をさらに記憶する点で、第１の実施形態と異なる。また、記憶部１３０Ａは、各ユーザＩＤと対応づけて、課金情報を記憶する課金情報記憶部１３５を備える点で、第１の実施形態と異なる。
【００８４】
図９は、第２の実施形態に係る制御内容記憶部１３４Ａに記憶される情報の一例の概要を示す図である。図９を参照し、制御内容記憶部１３４Ａに記憶される情報の一例の概要を説明する。
【００８５】
図９に示すように、制御内容記憶部１３４Ａは、スケジュールＩＤと、当該スケジュールの経路を通るユーザのユーザＩＤと、経路ＩＤと、制御対象となる街路灯の街路灯ＩＤと、制御内容と、を記憶する。この点は第１の実施形態と同様である。制御内容記憶部１３４Ａはさらに、当該スケジュールによる照明制御によってユーザに課金される料金額を記憶する。さらに、当該料金が、割引料金であるか否かを示す割引フラグを記憶する。
【００８６】
たとえば、図９の例では、スケジュールＩＤ「００１」のスケジュールとして、ユーザＩＤ「００４」と「０１０」が記憶されており、料金として「５０円」が記憶されている。また、スケジュールＩＤ「００１」のスケジュールの割引フラグが「ＯＮ」になっている。これは、スケジュールＩＤ「００１」のスケジュールは、制御時間帯および制御対象街路灯が重複するユーザがいたために、ユーザＩＤ「００４」のユーザのスケジュールとユーザＩＤ「０１０」のユーザのスケジュールを統合したものであることを示す。そして、統合の結果として、割引料金が適用されていることを示す。
【００８７】
図１０は、第２の実施形態に係る課金情報記憶部１３５に記憶される情報の一例の概要を示す図である。課金情報記憶部１３５は、ユーザＩＤに対応付けて各ユーザに課金される料金の額と、当該料金が適用されたスケジュールのスケジュールＩＤとを記憶する。たとえば、図１０の例では、ユーザＩＤ「００１」のユーザに対して、スケジュールＩＤ「０６５」のスケジュールについての料金「２００円」が課金され、スケジュールＩＤ「２４５」のスケジュールについての料金「３７０円」が課金されることが示されている。このほかに、スケジュールの内容を特定する情報を記憶してもよい。図１０の例では、スケジュールＩＤ「０６５」のスケジュール内容として、「照度ＵＰ１９：００−２１：００」が記憶されている。また、スケジュールＩＤ「２４５」のスケジュール内容として、「色調赤、青、黄１９：００−１９：３０」が記憶されている。
【００８８】
［ユーザ端末上の推奨情報表示画面の一例］
次に、図１１を参照して、推奨情報提示部１２５から送信された推奨経路情報をユーザ端末３０において表示する際の表示画面の一例を説明する。図１１は、第２の実施形態に係る照明制御システム２において、ユーザ端末３０に表示される表示画面の一例を示す図である。
【００８９】
図１１に示すように、推奨経路情報が通知されると、「おかえりナビ」の画面が表示される。図１１の表示画面には、「おすすめルート」のフィールド１１０１と、「おねだん」のフィールド１１０２と、「帰宅ルート」のフィールド１１０３とが示される。「おすすめルート」は、推奨経路情報を特定する名前などを表示するフィールドである。図１１の例では、「公園通り」という名前が表示されている。なお、おすすめルートが複数あるときは、フィールド１１０１をドロップダウンメニューにして、メニューから選択することで各ルートの情報を一つずつ表示できるようにしてもよい。
【００９０】
「おねだん」フィールド１１０２は、「おすすめルート」フィールド１１０１に表示されているルートを選択した場合の料金を表示する。図１１の例では、「８０（円）」が表示される。そして、「帰宅ルート」フィールド１１０３は、推奨経路を地図上にハイライト等で表示するフィールドである。
【００９１】
ユーザは、フィールド１１０１，１１０２，１１０３を操作して、推奨経路を確認する。さらにユーザは、画面下部の「詳細表示」ボタン１１０４を選択することで、当該経路について実行される予定の制御内容や、当該経路の選択ユーザ数などを確認することができる。ユーザは、画面下部の「決定」ボタン１１０５を選択することで、その時点で表示されている推奨経路を選択する。そして、「送信」ボタン１１０６を選択すると、選択した推奨経路の情報が管理装置１０Ａに送信される。
【００９２】
［第２の実施形態に係る割引料金算出処理の流れの一例］
次に、図１２を参照して、第２の実施形態に係る割引料金算出処理について説明する。図１２は、第２の実施形態に係る照明制御システム２における割引料金算出処理の流れの一例を示すフローチャートである。
【００９３】
まず、管理装置１０Ａは、第１の実施形態について図６に示したステップＳ６０１〜Ｓ６０４までの処理と同様の処理を実行し、新しく受信した経路情報等に対応するスケジュールを制御内容記憶部１３４Ａに記憶する（ステップＳ１２０１）。この時点では、制御内容記憶部１３４Ａの「料金」には通常の課金率での料金額を記憶し、「割引フラグ」はオフとする。
【００９４】
次に、割引料金算出部１２４は、制御内容記憶部１３４Ａに既に記憶されているスケジュールの中から、ステップＳ１２０１において新しく登録したスケジュールと同じ時間帯を制御時間帯とするスケジュールを検出する（ステップＳ１２０２）。制御時間帯が同じスケジュールを検出しなかった場合（ステップＳ１２０２、否定）、割引料金算出部１２４は、割引料金算出処理を終了する。他方、制御時間帯が同じスケジュールを検出した場合（ステップＳ１２０２、肯定）、割引料金算出部１２４は、次に、検出したスケジュールの経路が、新しく登録したスケジュールの経路と重複するか否かを判定する（ステップＳ１２０３）。経路が重複しないと判定した場合（ステップＳ１２０３、否定）、割引料金算出部１２４は、割引料金算出処理を終了する。他方、経路が重複すると判定した場合（ステップＳ１２０３、肯定）、割引料金算出部１２４は、経路が重複する割合を算出し、算出した割合に応じて、料金の割引率を算出する（ステップＳ１２０４）。そして、割引料金算出部１２４は、割引後の料金を算出して制御内容記憶部１３４Ａに記憶する（ステップＳ１２０５）。このとき、割引料金算出部１２４は、制御内容記憶部１３４Ａの対応する「割引フラグ」をオンにする。これによって割引料金算出処理を終了する。
【００９５】
［第２の実施形態に係る推奨経路提示処理の流れの一例］
次に、図１３を参照し、第２の実施形態に係る推奨経路提示処理について説明する。図１３は、第２の実施形態に係る照明制御システム２における推奨経路提示処理の流れの一例を示すフローチャートである。
【００９６】
まず、推奨情報提示部１２５は、新しいスケジュールの登録がある（ステップＳ１３０１）と、当該スケジュールと制御時間帯が同じで割引フラグがオンになっているスケジュールを、制御内容記憶部１３４Ａから検出する（ステップＳ１３０２）。該当するスケジュールを検出しなかった場合（ステップＳ１３０２、否定）、推奨情報提示部１２５は、推奨経路提示処理を終了する。他方、該当スケジュールを検出した場合（ステップＳ１３０２、肯定）、推奨情報提示部１２５は、当該スケジュールの経路が新しく登録されたスケジュールの経路から所定の範囲内にあるか否かを判定する（ステップＳ１３０３）。
【００９７】
そして、所定の範囲内にないと判定した場合（ステップＳ１３０３、否定）、推奨情報提示部１２５は、推奨経路提示処理を終了する。他方、所定の範囲内にあると判定した場合（ステップＳ１３０３、肯定）、推奨情報提示部１２５は、検出したスケジュールによって特定される経路と割引料金とを含む推奨経路情報を、新しいスケジュールに対応して記憶されているユーザＩＤのユーザに送信する（ステップＳ１３０４）。そして、推奨情報提示部１２５は、送信した推奨経路情報に対する応答が受信されたか否かを判定する（ステップＳ１３０５）。
【００９８】
応答を受信しないと判定した場合（ステップＳ１３０５、否定）、推奨情報提示部１２５は推奨経路提示処理を終了する。他方、応答を受信したと判定した場合（ステップＳ１３０５、肯定）、推奨情報提示部１２５は、新しく登録されたスケジュールと検出されたスケジュールとを統合する（ステップＳ１３０６）。すなわち、推奨情報提示部１２５は、新しく登録されたスケジュールのユーザのユーザＩＤを検出されたスケジュールに対応づけて記憶されるユーザＩＤに加える。そして、推奨情報提示部１２５は、新しく登録されたスケジュールを消去する。これによって推奨経路提示処理を終了する。
【００９９】
［第２の実施形態の効果］
このように、第２の実施形態に係る照明制御装置および照明制御システムは、複数のユーザが特定した経路情報に応じて決定部が決定した複数のスケジュールを、当該経路情報により特定される経路と、当該複数のスケジュールにより特定される照明処理の実行時間と、にもとづき一つのスケジュールに統合する統合部をさらに具備する。このため、複数のユーザが照明制御を希望する経路が重複する場合には、別個に処理するのではなくまとめて制御を実行することができる。このため、消費電力の抑制をさらに図ることができる。
【０１００】
また、第２の実施形態に係る照明制御装置および照明制御システムは、統合部が複数のスケジュールを一つのスケジュールに統合した場合、当該スケジュールのユーザに適用する割引料金を算出する算出部をさらに具備する。このため、複数のユーザが照明制御を希望する経路が重複する場合には、ユーザに対してもインセンティブを与えて統合を促進することができる。このため、消費電力の抑制を図りつつ、ユーザの利便性も利することができる。
【０１０１】
また、第２の実施形態に係る照明制御システムは、上記のような照明制御装置と、当該照明制御装置にネットワークを介して接続され、当該照明制御装置からの制御信号により制御される複数の照明灯と、を具備する。このため、ユーザのニーズに柔軟に対応しつつ、消費電力の抑制を図ることができる。
【０１０２】
［第３の実施形態］
第１の実施形態および第２の実施形態では、複数の街路灯を一元的に管理し制御することによって、ユーザのニーズに柔軟に対応するとともに消費電力の低減を図った。ところで、街路灯だけでなく、他の設備に設けられた照明を街路灯の代わりに街路を照明するために利用することも考えられる。
【０１０３】
［漏れ光および天空からの反射光の照明効果］
都市では、街路灯だけでなく、商業ビルや一般家屋から漏れ出る照明光の漏れ光によって、街路が相当程度照明される。また、漏れ光は天空に反射して再び地上を照明する。漏れ光の影響について、図１４Ａ乃至図１４Ｄを参照して説明する。
【０１０４】
図１４Ａは、漏れ光による街路の照明効果を説明するための図である。図１４Ａに示すように、街路の両脇には街路灯Ｘ，Ｙが設置され、街路を照明する。さらに、街路灯の近傍にはビルＯ，Ｐがあり、その窓から照明光が漏れ出している。この漏れ光は、街路に向けて照射され、街路灯による照明効果を増強している。さらに、ビルＯ，Ｐからの漏れ光は天空Ｚに向けても放射され、天空Ｚにより反射される。その結果、ビルからの漏れ光は、直接街路を照明するだけでなく、天空Ｚからの反射光によっても街路を照明する。
【０１０５】
図１４Ｂは、漏れ光の影響を説明するための例示としてのビルの配置と照度測定ポイントとを示す図である。図１４Ｂの例では、左側にビルＡ，Ｂ，Ｃが配置され、一定の空間を隔てた右側の場所に公園Ｈが示されている。公園Ｈの周囲には街路灯が配置され、公園Ｈを照明している。公園の中の複数地点に照度測定ポイントを設ける。ここでは、測定ポイントａおよび測定ポイントｂにおいて測定した照度を説明する。
【０１０６】
図１４Ｃは、図１４Ｂに示す例示としてのビルのデータを示す表である。たとえば、ビルＡは、階数（事務所階数）が、２９階（２７階）、事務所総床面積が４万平方メートル、全表面積が約２万平方メートルである。また、全窓面積が４４２８平方メートルであり、２灯用の蛍光灯が１階あたり２８８個設置されている。窓の面積率は、約０．２であり、窓から放出される総ランプ光束は、０．０５３ルーメン、窓から上空に放出される総ランプ光束は、０．０２７ルーメンである。ビルＢ，Ｃについても同様にデータが示されている。
【０１０７】
図１４Ｄは、図１４Ｂに示す照度測定ポイントにおける照度の写真測光による測定結果を示すグラフである。図１４Ｄのグラフの左側は、測定ポイントａにおける１８時３０分時点の照度のデータと１９時１５分時点の照度のデータを示している。また、図１４Ｄのグラフの右側は、測定ポイントｂにおける１８時３０分、１９時１５分、２０時、２０時３０分時点の照度のデータを示している。
【０１０８】
測定ポイントａにおける１８時３０分時点での水平面照度の実測値は約３．０ルクスであった。さらに、図１４Ｄに示すように、写真測光による測定結果では、この約３．０ルクスのうち、ビル漏れ光が約１．０ルクス、天空からの光が約１．４ルクス、街路灯からの光が約０．６ルクスとなっている。また、１９時１５分時点でも、ビル漏れ光と天空からの光の割合は、街路灯からの光の割合をはるかに超えている。測定ポイントｂにおいても同様の測定結果が得られている。
【０１０９】
このように、実際に街路の照明においては、ビルからの漏れ光や天空からの光が大きな影響をもっている。したがって、ビルからの漏れ光や天空からの光を考慮して街路灯の照度を制御することができれば、消費エネルギーを削減する効果を上げるとともにより効果的な照明を提供することができる。
【０１１０】
ところで、近年、屋内に配置される家電製品については、ＢＥＭＳ（Building  and  Energy  Management  System）やＨＥＭＳ（Home  Energy  Management  System）などを用いた管理が提案されている。ＢＥＭＳは、ビルの機器や設備等の運転管理を一元的に管理してエネルギー消費量の削減等を図るものである。また、ＨＥＭＳは、家庭内の家電機器をネットワークに接続して一元的に電力消費等を管理してエネルギー消費量の削減等を図るものである。
【０１１１】
また、一つの家屋やビルに限定せずに、一つの地域または都市全体を対象としてエネルギー消費を削減するためのアイディアとして、スマートシティ構想が提案されている。スマートシティとはたとえば、先端技術を用いて社会インフラを効率化、高度化した都市や地域を指す。
【０１１２】
このような技術を念頭に、第３の実施形態として、ＨＥＭＳおよびＢＥＭＳを組み入れた照明制御システムを説明する。
【０１１３】
［第３の実施形態に係る照明制御システムの構成の一例］
図１５は、第３の実施形態に係る照明制御システム３の構成の一例を示す図である。図１５を参照して、照明制御システム３の構成の一例につき説明する。
【０１１４】
照明制御システム３は、管理装置８０と、街路灯２０Ａ〜２０Ｅと、ＨＥＭＳ制御装置５０と、ＢＥＭＳ制御装置６０と、を備える。管理装置８０は、街路灯２０Ａ〜２０Ｅ、ＨＥＭＳ制御装置５０およびＢＥＭＳ制御装置６０の各々と、ネットワーク４０を介して通信可能に接続される。また、管理装置８０は、ネットワーク４０を介して、ユーザ端末３０Ａ，３０Ｂ，３０Ｃ（以下、各々を区別する必要がないときは、ユーザ端末３０と称する。）と通信可能に接続される。
【０１１５】
管理装置８０は、街路灯２０Ａ〜２０Ｅ、ＨＥＭＳ制御装置５０およびＢＥＭＳ制御装置６０の各々から、各々が備える照明装置についての情報を受信する。そして、管理装置８０は、各照明装置の光量と消費電力とを算出する。そして、管理装置８０は、漏れ光の影響を加味して、算出した各照明装置の光量にもとづき、所定の地点において所望の光量を得るとともに、消費電力を最も小さくする、各照明装置の光量の割合を算出する。そして、管理装置８０は、算出した割合に基づき、街路灯２０Ａ〜２０Ｅ、ＨＥＭＳ制御装置５０、ＢＥＭＳ制御装置６０の各々が備える照明装置の光量を制御する。
【０１１６】
街路灯２０Ａ〜２０Ｅは、公共空間たとえば、歩行者が通行する一般の街路に沿って任意の間隔で設けられ、街路を照明する照明装置である。図１５には５つの街路灯２０Ａ〜２０Ｅを示すが、街路灯の数は５つに限定されず、街路に沿って任意の数の街路灯が設けられる。
【０１１７】
本実施形態では、街路灯２０Ａ〜２０Ｅは、直接ネットワーク４０を介して管理装置８０からの制御信号を受信して、制御信号に応じて動作するものとして説明する。しかし、これに限定されず、街路灯２０Ａ〜２０Ｅ各々に、制御部と記憶部とを備える制御ユニット等を設置してもよい。この場合には、管理装置８０から送信される情報を、制御ユニットが受信して記憶部に格納し、適宜制御部が、記憶部から情報を読み出して街路灯の動作を制御するものとしてもよい。
【０１１８】
また、街路灯２０Ａ〜２０Ｅの形状や種類は特に限定されず、蛍光灯、水銀灯、ＬＥＤ照明、太陽電池式の電灯等、任意のものを使用してよい。ただし、街路灯２０Ａ〜２０Ｅは、なんらかのエネルギーの供給を受けて発光し、消費したエネルギー（電力等）に対して料金が課されるものとする。
【０１１９】
ユーザ端末３０Ａ，３０Ｂ，３０Ｃはたとえば、スマートフォン、携帯電話、ＰＨＳ（Personal  Handyphone  System）、ＰＤＡ（Personal  Digital  Assistant）、タブレットＰＣ（Portable  Computer）等、ネットワーク４０に接続して、管理装置８０との間で情報を送受信できるものであれば、任意の装置であってよい。また、携帯端末に限定されず、家庭またはオフィスに設置されたコンピュータをユーザ端末３０として使用してもよい。本実施形態では、ユーザ端末３０の一例として携帯電話を用いて説明する。
【０１２０】
ネットワーク４０は、たとえば、インターネット、ＬＡＮ（Local  Area  Network）、ＷＡＮ（Wide  Area  Network）等、任意のネットワークであってよい。またたとえば、電力線搬送通信（ＰＬＣ：Power  Line  Communication）を利用してもよい。図１５では、管理装置８０と、街路灯２０Ａ〜２０Ｅ、ユーザ端末３０、ＨＥＭＳ制御装置５０およびＢＥＭＳ制御装置６０とが、ネットワーク４０を介して接続されるものとして図示した。しかし、これに限定されず、管理装置８０とユーザ端末３０とを接続するネットワークと、管理装置８０と街路灯２０Ａ〜２０Ｅ、ＨＥＭＳ制御装置５０およびＢＥＭＳ制御装置６０とを接続するネットワークとを別個に設けてもよい。たとえば、管理装置８０、街路灯２０Ａ〜２０Ｅ、ＨＥＭＳ制御装置５０およびＢＥＭＳ制御装置６０で閉じたネットワークを構成し、管理装置８０とユーザ端末３０とは公共のネットワークを介して通信するものとしてもよい。
【０１２１】
ＨＥＭＳ制御装置５０は、一般の家屋に設けられ当該家屋内に設置される家電製品の制御および管理を行う。たとえば、ＨＥＭＳ制御装置５０は、照明装置、エアコンディショナー、給湯器、インターホン、蓄電池等に接続され、各機器の運転状態や電力消費量を監視する。また、ＨＥＭＳ制御装置５０は、ユーザ端末３０からの指示に応じて、各家電製品の制御を行う。
【０１２２】
なお、ここでは、ＨＥＭＳ制御装置５０と管理装置８０とを別に設ける例を説明するが、ＨＥＭＳ制御装置５０の機能を管理装置８０に組み入れ、家屋内の家電製品から管理装置８０に直接情報が送信されるように構成してもよい。
【０１２３】
ＢＥＭＳ制御装置６０は、商業ビルなどのビルに設けられ当該ビル内に設置される電気製品の制御および管理を行う。たとえば、ＢＥＭＳ制御装置６０は、サーバ、コンピュータ、照明装置、エアコンディショナー、蓄電池等に接続され、各機器の運転状態や電力消費量を監視する。
【０１２４】
また、ＨＥＭＳ制御装置５０と同様、ＢＥＭＳ制御装置６０も、管理装置８０と別に設けるのではなく、ＢＥＭＳ制御装置６０の機能を管理装置８０に組み入れても良い。この場合には、ビル内の電気製品から管理装置８０に直接運転状態や電力消費量などの情報が送信される。
【０１２５】
［管理装置８０の構成の一例］
図１５を参照し、管理装置８０の構成につきさらに説明する。管理装置８０は、通信部８１０と、制御部８２０と、記憶部８３０と、を備える。通信部８１０は、ネットワーク４０を介した街路灯２０Ａ〜２０Ｅ、ユーザ端末３０、ＨＥＭＳ制御装置５０およびＢＥＭＳ制御装置６０との通信処理を行う。制御部８２０は、通信部８１０が受信した情報を用いて、管理装置８０における処理を制御し、通信部８１０から外部へ送信する情報等を生成する。記憶部８３０は、管理装置８０における処理に用いる情報や管理装置８０において生成される情報等を記憶する。
【０１２６】
制御部８２０は、情報受信部８２１、光量抽出部８２２、割合算出部８２３および指示送信部８２４を備える。情報受信部８２１は、街路灯２０Ａ〜２０Ｅ、ＨＥＭＳ制御装置５０およびＢＥＭＳ制御装置６０から、各々が備える照明装置に関する情報を受信する。たとえば、情報受信部８２１は、街路灯２０Ａ〜２０Ｅの光量と当該光量で点灯している時間帯の情報を受信する。また、情報受信部８２１は、ＨＥＭＳ制御装置５０から、ＨＥＭＳ制御装置５０が管理する照明装置各々の光量と当該光量で点灯している時間帯の情報を受信する。また、情報受信部８２１は、ＢＥＭＳ制御装置６０から、ＢＥＭＳ制御装置６０が管理する照明装置各々の光量と当該光量で点灯している時間帯の情報を受信する。
【０１２７】
光量抽出部８２２は、情報受信部８２１が受信した情報に基づき、予め定められた地点の明るさに影響する照明装置の情報を抽出する。管理装置８０は予め、照度を調整するために適した地点と当該地点の照度に影響する照明装置とを抽出し、記憶しておく（後述する地点記憶部８３２および図１７を参照）。光量抽出部８２２は、情報受信部８２１が受信した情報の中から、所定の地点の明るさに影響する照明装置の光量等に関する情報を抽出する。
【０１２８】
割合算出部８２３は、所定の地点において要求される明るさを達成するために必要な光量となるよう、光量抽出部８２２が抽出した照明装置の光量の割合を調整する。たとえば、ビルの照明Ａと、街路灯Ｂと、家屋の照明Ｃとによって当該地点が照明される場合を考える。この場合、割合算出部８２３は、光量抽出部８２２が抽出したビルの照明Ａの光量、街路灯Ｂの光量および家屋の照明Ｃの光量を参照し、全体の総量が所望の光量になるよう、Ａ，Ｂ，Ｃそれぞれの光量を調整し、調整後の光量を算出する。このとき、光量抽出部８２２が抽出した各光量を超えない範囲内で、光量の割合を決定すればよい。
【０１２９】
指示送信部８２４は、割合算出部８２３が算出したＡ，Ｂ，Ｃそれぞれの光量を、該当する街路灯と、ＨＥＭＳ制御装置５０と、ＢＥＭＳ制御装置６０とに送信する。
【０１３０】
［記憶部８３０に記憶される情報の例］
記憶部８３０は、管理対象記憶部８３１と、地点記憶部８３２と、を備える。
【０１３１】
図１６は、第３の実施形態に係る管理対象記憶部８３１に記憶される情報の一例を示す図である。図１６を参照して、管理対象記憶部８３１に記憶される情報の一例について説明する。
【０１３２】
管理対象記憶部８３１は、管理装置８０の管理対象である街路灯、ＢＥＭＳ制御装置６０およびＨＥＭＳ制御装置５０の情報を記憶する。図１６に示すように、管理対象記憶部８３１は、管理対象である装置を一意に識別するための「対象ＩＤ」と、管理対象が複数の照明装置を含む場合にその各々を一意に識別するための「器具ＩＤ」とを記憶する。さらに、管理対象記憶部８３１は、「対象ＩＤ」に対応付けて、当該照明装置の最大光量を示す「光量」を記憶する。さらに、管理対象記憶部８３１は、管理対象がＨＥＭＳ制御装置５０またはＢＥＭＳ制御装置６０である場合は、当該ＨＥＭＳ制御装置５０またはＢＥＭＳ制御装置６０のユーザを一意に識別するための「ユーザＩＤ」を記憶する。管理対象記憶部８３１はさらに、当該照明装置の消費電力量を「消費電力」として記憶する。管理対象記憶部８３１はさらに、当該照明装置について適用される料金の情報を「料金」として記憶する。
【０１３３】
例えば、図１６の例では、「対象ＩＤ」として「Ｌ００１」、「光量」として「３０ルクス」、「消費電力」として「７ｗｈ／時」、「料金」として「０．２円／時」が相互に対応づけて記憶されている。これは、管理対象が、「Ｌ００１」で識別される街路灯であり、当該街路灯の光量が最大３０ルクス、消費電力は１時間７ｗｈで、料金は１時間０．２円であることを示している。なお、街路灯は管理装置８０が管理しているため「ユーザＩＤ」の登録はなく、照明器具を一つしか有さないため、「器具ＩＤ」の登録もない。そのため、図１６の例では、「ＮＡ」と表示する。
【０１３４】
また、図１６の例では、「対象ＩＤ、Ｈ００１」に対応づけて「器具ＩＤ」「００１」「００２」「００３」が記憶されている。これは、管理対象が「Ｈ００１」で識別されるＨＥＭＳ制御装置であり、当該ＨＥＭＳ制御装置が「００１」「００２」「００３」で識別される３つの照明器具を制御していることを示す。
【０１３５】
次に、地点記憶部８３２に記憶される情報について説明する。図１７は、第３の実施形態に係る地点記憶部８３２に記憶される情報の一例を示す図である。
【０１３６】
地点記憶部８３２は、照度制御の基準とする地点に関する情報を記憶する。照度制御の基準とする地点とは、管理装置８０が、複数の照明装置の光量割合を調整する際に、所定の照度を達成する基準地点である。管理装置８０は、予め複数の地点について達成すべき照度を記憶しておき、当該照度が達成されるように、複数の照明装置の光量割合を調整する。
【０１３７】
たとえば、図１７の例では、それぞれの地点を一意に識別するための「地点ＩＤ」に対応づけて、「位置情報」と、「制御対象ＩＤ」と、「目標照度」とが記憶されている。「位置情報」は、「地点ＩＤ」で特定される地点の位置を示す情報である。「制御対象ＩＤ」は、「地点ＩＤ」で特定される地点の明るさに影響する照明装置を一意に示す識別子であり、管理対象記憶部８３１に記憶されている「対象ＩＤ」および「器具ＩＤ」に対応する。「目標照度」は、「地点ＩＤ」で特定される地点において達成すべき目標となる照度である。管理装置８０は、この照度を達成するように、「制御対象ＩＤ」によって特定される照明装置の照度、すなわち光量を調整する。
【０１３８】
図１７の例では、たとえば、地点ＩＤ「Ｐ０００１」に対応づけて、位置情報「５０．３２；１２０．４０」が記憶されている。これは、地点ＩＤ「Ｐ０００１」で特定される場所は、東経５０度３２分、北緯１２０度４０分で特定される位置であることを示す。また、地点ＩＤ「Ｐ０００１」に対応づけて、制御対象ＩＤ「Ｌ００１，Ｈ００１（０３５），Ｂ００１（００９）」が記憶され、目標照度「２０ルクス」が記憶されている。これは、地点ＩＤ「Ｐ０００１」により特定される地点の明るさには、「Ｌ００１」で特定される街路灯が影響することを示す。さらに、当該地点の明るさに、「Ｈ００１（０３５）」で特定されるＨＥＭＳ制御装置の照明装置と、「Ｂ００１（００９）」で特定されるＢＥＭＳ制御装置の照明装置とが影響することを示す。また、地点ＩＤ「Ｐ０００１」により特定される地点において達成すべき目標照度は２０ルクスであることを示す。
【０１３９】
［第３の実施形態に係る光量決定処理の流れの一例］
次に図１８を参照し、第３の実施形態に係る照明制御システム３における光量決定処理について説明する。図１８は、第３の実施形態に係る光量決定処理の流れの一例を示すフローチャートである。
【０１４０】
まず、管理装置８０の情報受信部８２１は、街路灯２０Ａ〜２０Ｅ、ＨＥＭＳ制御装置５０、ＢＥＭＳ制御装置６０のそれぞれから、照明装置についての情報を受信する（ステップＳ１８０１）。光量抽出部８２２は、地点記憶部８３２に記憶される地点の中から一つの地点を選択する（ステップＳ１８０２）。そして、光量抽出部８２２は、当該地点の地点ＩＤに対応づけて記憶されている制御対象となる照明装置の情報を、受信した情報から抽出する（ステップＳ１８０３）。そして、割合算出部８２３は、記憶されている目標照度を達成するために各照明装置の光量を調整する（ステップＳ１８０４）。すなわち、割合算出部８２３は、管理対象記憶部８３１に記憶された消費電力の情報を参照しつつ、各照明装置により消費される電力量の総計が最小となるように、各照明装置の光量を調整する。またこのとき、割合算出部８２３は、受信した情報により示される各照明装置の光量を、調整後の光量が上回らないよう調整を行う。
【０１４１】
そして、指示送信部８２４は、割合算出部８２３が算出した割合に各照明装置の光量を調整するための制御信号を、該当する街路灯、ＨＥＭＳ制御装置５０およびＢＥＭＳ制御装置６０に送信する（ステップＳ１８０５）。これで、光量決定処理が終了する。
【０１４２】
［第３の実施形態の効果］
このように、第３の実施形態に係る照明制御装置および照明制御システムは、所定地点において所定の照度を達成する、当該所定地点を照明する複数の照明装置の光量割合を算出する算出部と、複数の照明装置に対して、算出部が算出した割合に応じた照明制御を指示する制御信号を送信する第２の送信部と、をさらに具備する。このため、複数の照明装置による照明効果を調整して、所定地点において所望の照度を実現することができる。したがって、複数の照明装置の状態や、電力消費量、電気料金等を勘案しつつ、照明装置間のバランスを決定でき、さらに消費電力の低減を図ることができる。
【０１４３】
また、第３の実施形態に係る照明制御装置および照明制御システムにおいて、算出部は、複数の照明装置が直接的に所定地点を照明する光量と、複数の照明装置が間接的に所定地点を照明する光量と、にもとづき、光量割合を算出する。このため、照明装置からの直接的な照明効果だけでなく、ビルからの漏れ光や、家屋からの漏れ光、天空からの反射光など様々な光を有効に活用して、所定地点を照明することができる。したがって、さらに消費電力の低減を図ることができる。
【０１４４】
また、第３の実施形態に係る照明制御装置および照明制御システムにおいては、算出部は、複数の照明装置による消費電力の合計が最も小さい光量割合を算出する。このため、複数の照明装置を全体として管理して、たとえば、スマートシティなどにおいて、ビル、家屋、公共施設等の全体の消費電力の低減を図ることができる。
【０１４５】
［第３の実施形態の変形例１］
ところで、上述の第３の実施形態では、各照明装置による電力消費量の総計が最も小さくなるように割合を決定するものとした。しかし、これに限定されず、いずれかの照明装置については必ず所定の光量で発光させるようにすることもできる。変形例１として、ＨＥＭＳまたはＢＥＭＳのユーザの要求に応じた照明装置の光量を維持する例を説明する。
【０１４６】
図１９は、変形例１に係る照明制御システム３Ａの構成の一例を示す図である。照明制御システム３Ａの構成は、図１５に示す照明制御システム３と同様である。ただし、管理装置８０Ａは、通信部８１０Ａ、制御部８２０Ａおよび記憶部８３０Ａを備える。そして、制御部８２０Ａが要求受信部８２５を備え、記憶部８３０Ａが要求記憶部８３３を備える点で、図１５の照明制御システム３と異なる。以下、要求受信部８２５および要求記憶部８３３について説明する。
【０１４７】
要求受信部８２５は、ＨＥＭＳ制御装置５０およびＢＥＭＳ制御装置６０から、それぞれが備える照明装置の光量に関する要求を受信する。要求受信部８２５が受信した要求は、要求記憶部８３３に記憶する。
【０１４８】
図２０は、変形例１に係る要求記憶部８３３に記憶される情報の一例を示す図である。図２０に示すように、要求記憶部８３３は、要求受信部８２５が受信した要求に関する情報を記憶する。たとえば、図２０に示すように、要求記憶部８３３は、「ユーザＩＤ」、「対象ＩＤ」、「時刻」、「要求照度」を記憶する。「ユーザＩＤ」は要求を送信したユーザを特定する。「対象ＩＤ」はユーザからの要求にもとづき制御対象とする照明装置を特定する。「時刻」は要求により制御を行う時間を特定する。「要求照度」は、ユーザから要求されている照度を示す。
【０１４９】
たとえば、図２０の例では、ユーザＩＤとして「００１」、対象ＩＤとして「Ｈ００１（００３）」、時刻として「１８：００−２１：００」、要求照度として「３０ルクス」が記憶されている。これは、ユーザＩＤ「００１」のユーザから、「Ｈ００１」で特定されるＨＥＭＳ制御装置が制御する装置のうち、「００３」で特定される照明装置についての要求であることを示す。また、その要求が、１８時から２１時の間、当該照明装置の照度を３０ルクスに維持することを要求するものであることを示す。
【０１５０】
このように第３の実施形態の変形例１に係る照明制御装置および照明制御システムは、複数の照明装置の光量の設定を受信する第２の受信部をさらに具備し、算出部は、第２の受信部が受信した光量以上となる光量割合を算出する。このため、第２の受信部にたいして、各照明装置の管理者やユーザが所定の光量を確保したい場合に光量設定を要求することにより、所望の光量を確保することができる。したがって、ユーザからの個別の要求にもこたえつつ、全体としての電力消費を抑制することができる。
【０１５１】
［第３の実施形態の変形例２］
さらに、上述の例に限定されず、いずれかの照明装置が蓄電池を備える場合には、当該照明装置を優先的に最大光量で発光させることもできる。変形例２として、蓄電池を備える照明装置を優先的に使用する例を説明する。
【０１５２】
図２１は、変形例２に係る照明制御システム３Ｂの概略図である。図２１に示すように、変形例２では、ＢＥＭＳ制御装置６０Ｂにより制御されるビルに蓄電池が設けられている。また、ＨＥＭＳ制御装置５０Ｂにより制御される家屋にも蓄電池が設けられている。さらに、街路灯２０Ａ〜２０Ｅにも蓄電池を設けるものとしてもよい。
【０１５３】
また、変形例２の照明制御システム３Ｂにおいては、管理装置８０Ｂは、通信部８１０Ｂ、制御部８２０Ｂおよび記憶部８３０Ｂを備える。そして、制御部８２０Ｂは蓄電情報受信部８２６を備え、記憶部８３０Ｂは蓄電情報記憶部８３４を備える。その他の点は、図１５に示す照明制御システム３と同様である。したがって、同様の機能部についての説明は省略する。以下、蓄電情報受信部８２６および蓄電情報記憶部８３４について説明する。
【０１５４】
管理装置８０Ｂの蓄電情報受信部８２６は、ＨＥＭＳ制御装置５０ＢおよびＢＥＭＳ制御装置６０Ｂから各装置が備える蓄電池の蓄電残量に関する情報を受信する。蓄電情報受信部８２６は、受信した情報を蓄電情報記憶部８３４に記憶する。
【０１５５】
図２２は、変形例２に係る蓄電情報記憶部８３４に記憶される情報の一例を示す図である。図２２に示すように、蓄電情報記憶部８３４は、蓄電池を備える家屋のＨＥＭＳ制御装置５０Ｂや、蓄電池を備えるビルのＢＥＭＳ制御装置６０Ｂを特定する情報として「対象ＩＤ」を記憶する。さらに、蓄電情報記憶部８３４は、設けられた蓄電池の容量を示す「蓄電容量」と、蓄電残量を示す「残量」とを記憶する。
【０１５６】
たとえば、図２２の例では、対象ＩＤ「Ｈ００１」で特定されるＨＥＭＳ制御装置に制御される蓄電池があり、当該蓄電池の容量が「６．６ｋＷｈ」であり、残量が「３．０ｋＷｈ」であることを示す。
【０１５７】
割合算出部８２３は、各照明装置の光量の割合を決定する際に、蓄電情報記憶部８３４を参照し、残量が大きい蓄電池を備えるＨＥＭＳ制御装置またはＢＥＭＳ制御装置に制御されている照明装置を優先的に使用するように光量割合を決定する。
【０１５８】
このように第３の実施形態の変形例２に係る照明制御装置および照明制御システムにおいては、算出部は、複数の照明装置のうち、蓄電機能を備える照明装置を優先的に使用するよう光量割合を算出する。このため、蓄電池から電力供給を受けることができる照明装置を優先的に使用することができ、電力供給に余裕がある照明装置を優先的に使用して、十分な照度を確保できる。また、全体としての電力消費を抑制することができる。
【０１５９】
［第３の実施形態の変形例３］
さらに、上述の例に限定されず、各照明装置について適用される料金体系が異なる場合などに、電力料金の合計額が最小となるよう、各照明装置の光量を調整することもできる。図１６の管理対象記憶部８３１は、各照明装置に対応づけて料金を記憶する。そこで、割合算出部８２３は、各照明装置の光量割合を決定する際に、管理対象記憶部８３１に記憶された料金を参照して、電力料金の合計額が最小になるよう各照明装置の光量割合を決定する。このようにすることで、照明制御システム全体としての賦課料金を抑制することができる。
【０１６０】
このように、第３の実施形態の変形例３に係る照明制御装置および照明制御システムにおいては、算出部は、複数の照明装置の電力消費に対して賦課される料金の合計が最も小さい光量割合を算出する。このため、複数の照明装置各々に対して適用される電力料金体系が異なる場合であっても、全体としての電力消費に賦課される料金を抑制することができる。
【０１６１】
［第３の実施形態の変形例４］
さらに、上述の例に限定されず、街路灯で照明を行っているときに、同等の光量を他の照明装置から得られる場合は、当該照明装置のユーザ（管理者）に割引料金を提示して照明装置を点灯するよう依頼することもできる。変形例４として、ユーザに割引料金を提示して照明装置点灯の了解を得て、照明装置を点灯させる場合を説明する。
【０１６２】
図２３は、変形例４に係る照明制御システム３Ｃの構成の一例を示す図である。照明制御システム３Ｃは、管理装置８０Ｃを備える。変形例４に係る管理装置８０Ｃは制御部８２０Ｃを備える。制御部８２０Ｃは、提案送信部８２７と応答受信部８２８とを備える。提案送信部８２７は、街路灯が街路を照明している際に、同じ照度を他の照明装置、たとえば、ビルの漏れ光や家屋の漏れ光によって得られるか否かを判定する。そして、同じ照度を得られると判定すると、該当するビルのＢＥＭＳ制御装置や家屋のＨＥＭＳ制御装置に、街路灯を点灯した場合に賦課される料金よりも低い料金を提示して、使用可否を打診する。
【０１６３】
応答受信部８２８は、打診を受けたＢＥＭＳ制御装置またはＨＥＭＳ制御装置のユーザ、すなわちビルの所有者や家屋の居住者からの了解応答を受信する。了解応答を受信した場合、応答受信部８２８は、了解応答を返した装置の照明装置による照明を開始させ、街路灯を消灯する。
【０１６４】
このように、第３の実施形態の変形例４に係る照明制御装置および照明制御システムは、複数の照明装置として照明灯を含み、照明灯が点灯中に、当該照明灯による照度を複数の照明装置のいずれかによって達成できるか否かを判定し、達成できると判定した場合は、照明灯を消灯し、照明灯の点灯に対して賦課される料金よりも低い料金で、当該照明装置を点灯させる。このため、照明灯の利用を避けたい場合に、他の手段で照明を代替することができ、都市全体として設備を有効に利用することができる。
【０１６５】
このように、第１から第３の実施形態および変形例について説明したが、これら実施形態または変形例に係る照明制御システムは、上述のような照明制御装置と、複数の照明灯と、複数の照明装置を管理する管理装置と、を具備する。このため、ユーザのニーズに柔軟に対応しつつ、消費電力の低減を図ることができる。
【０１６６】
また、これら実施形態または変形例に係る照明制御システムは、管理装置として、ＨＥＭＳ制御装置またはＢＥＭＳ制御装置を備える。そのため、ビルや一般家庭における照明装置も総合的に管理しつつ、柔軟な照明制御を実現でき、全体としての消費電力の低減を図ることができる。
【０１６７】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１６８】
１，２，３  照明制御システム
１０，８０  管理装置
２０Ａ〜２０Ｅ  街路灯
３０  ユーザ端末
４０  ネットワーク
５０  ＨＥＭＳ制御装置
６０  ＢＥＭＳ制御装置
１１０  通信部
１２０  制御部
１２１  情報受信部
１２２  制御決定部
１２３  指示送信部
１２４  割引料金算出部
１２５  推奨情報提示部
１２６  選択受信部
１３０  記憶部
１３１  地図記憶部
１３２  ユーザ情報記憶部
１３３  街路灯情報記憶部
１３４  制御内容記憶部
１３５  課金情報記憶部
８１０  通信部
８２０  制御部
８２１  情報受信部
８２２  光量抽出部
８２３  割合算出部
８２４  指示送信部
８２５  要求受信部
８２６  蓄電情報受信部
８２７  提案送信部
８２８  応答受信部
８３０  記憶部
８３１  管理対象記憶部
８３２  地点記憶部
８３３  要求記憶部
８３４  蓄電情報記憶部
【図１】
2014130679.tif 000003
【図２】
2014130679.tif 000004
【図３】
2014130679.tif 000005
【図４】
2014130679.tif 000006
【図５】
2014130679.tif 000007
【図６】
2014130679.tif 000008
【図７Ａ】
2014130679.tif 000009
【図７Ｂ】
2014130679.tif 000010
【図８】
2014130679.tif 000011
【図９】
2014130679.tif 000012
【図１０】
2014130679.tif 000013
【図１１】
2014130679.tif 000014
【図１２】
2014130679.tif 000015
【図１３】
2014130679.tif 000016
【図１４Ａ】
2014130679.tif 000017
【図１４Ｂ】
2014130679.tif 000018
【図１４Ｃ】
2014130679.tif 000019
【図１４Ｄ】
2014130679.tif 000020
【図１５】
2014130679.tif 000021
【図１６】
2014130679.tif 000022
【図１７】
2014130679.tif 000023
【図１８】
2014130679.tif 000024
【図１９】
2014130679.tif 000025
【図２０】
2014130679.tif 000026
【図２１】
2014130679.tif 000027
【図２２】
2014130679.tif 000028
【図２３】
2014130679.tif 000029